(57)【特許請求の範囲】
【請求項１】
光信号を記憶する光記憶素子において、
前記光信号を電気信号に変換する第１光電変換素子と、
前記光信号の書き込みを制御する第１制御光信号を電気信号に変換する第２光電変換素子と、
前記第１光電変換素子で変換された電気信号と前記第２光電変換素子で変換された電気信号との双方が入力された場合に、所定の状態に遷移して当該状態を維持することで前記光信号を記憶する共鳴トンネルダイオードと、
前記共鳴トンネルダイオードが前記所定の状態である場合にのみ、前記共鳴トンネルダイオードに記憶された前記光信号の読み出しを制御する第２制御光信号を透過する電界吸収型光変調素子と
を含むことを特徴とする光記憶素子。
【請求項２】
前記共鳴トンネルダイオードは、印加される所定の制御電圧の制御により前記所定の状態から初期状態に遷移することを特徴とする請求項１記載の光記憶素子。
【請求項３】
前記第１光電変換素子及び前記第２光電変換素子はフォトダイオードであり、
前記共鳴トンネルダイオードには前記所定の制御電圧として所定のバイアス電圧が印加されている
ことを特徴とする請求項２記載の光記憶素子。
【請求項４】
光信号を記憶する光記憶装置において、
請求項１から請求項３の何れか一項に記載の光記憶素子を複数備える基板と、
前記光信号を前記基板全体に亘って照射する光信号照射装置と、
前記光記憶素子を備える前記基板上で前記第１制御光信号を走査する第１走査装置と、
前記光記憶素子を備える前記基板上で前記第２制御光信号を走査する第２走査装置と
を備えることを特徴とする光記憶装置。
【請求項５】
少なくとも前記基板上の前記第２制御光信号が照射される部位に対する前記光信号の照射を遮断する遮光装置を備えることを特徴とする請求項４記載の光記憶装置。
【請求項６】
前記光信号照射装置及び前記第１走査装置は、前記光信号の書き込み時にのみ前記光信号の前記基板上への照射及び前記第１制御光信号の走査をそれぞれ行い、
前記第２走査装置は、前記光信号の読み出し時にのみ前記第２制御光信号の走査を行う
ことを特徴とする請求項４記載の光記憶装置。
【請求項７】
光信号を記憶する光記憶装置において、
請求項１から請求項３の何れか一項に記載の光記憶素子を複数備える基板と、
前記光記憶素子を備える前記基板上で前記第１制御光信号を走査する第１走査装置と、
前記光記憶素子を備える前記基板上で前記第２制御光信号を走査する第２走査装置と、
前記基板上における少なくとも前記第１制御光信号が照射される部位を含んで前記第２制御光信号が照射される部位を含まない部位に前記光信号を照射する光信号照射装置と
を備えることを特徴とする光記憶装置。
【請求項８】
前記第１走査装置及び前記第２走査装置は、前記第１制御光信号と前記第２制御光信号とが同時に同一の前記光記憶素子に照射されないよう前記第１制御光信号及び前記第２制御光信号をそれぞれ走査することを特徴とする請求項４、請求項５、及び請求項７の何れか一項に記載の光記憶装置。
【発明の詳細な説明】
【技術分野】
【０００１】
本発明は、光信号を記憶する光記憶素子及び光記憶装置に関する。
【背景技術】
【０００２】
近年、情報技術の進展によって通信される情報量が飛躍的に増大しており、この大量の情報を伝送するために光通信が用いられる機会が増大している。光通信におけるノードでのルーティング処理では、光信号を一旦電気信号に変換してからルーティング処理を行い、ルーティング処理を終えた後で再度電気信号を光信号に変換するものが一般的であった。
【０００３】
以下の特許文献１には、光ファイバからなる光遅延回路を用いて光信号を光遅延回路中を伝播させることにより光信号そのものを一時的に記憶する光記憶装置が開示されている。また、以下の特許文献２には、負性微分抵抗素子を用いた光フリップフロップ装置が開示されている。更に、以下の特許文献３には、フォトダイオード及び共鳴トンネルダイオードを用いた光信号処理装置が開示されている。これらの光関連装置を用いることにより、例えば高速なルーティング動作が可能となる。
【特許文献１】特開２００２−３４１３８９号公報
【特許文献２】特開平１１−６８５２１号公報
【特許文献３】特開２００４−３２８３０４号公報
【発明の開示】
【発明が解決しようとする課題】
【０００４】
ところで、例えば上述した特許文献１に開示された光記憶装置においては、記憶容量は光遅延回路をなす光ファイバの長さと、この光ファイバ中を伝播する光信号のビット速度とに依存し、また、アクセス速度は光遅延回路の遅延量に依存する。このため、光遅延回路の遅延量を少なくすればアクセス速度が向上する（早くなる）ものの記憶容量が減少してしまう。反対に、光遅延回路の遅延量を多くすれば記憶容量が増大するもののアクセス速度が低下してしまう（遅くなる）。また、この光記憶装置の記憶時間は、光信号が光遅延回路を周回させる回数によって規定されており、ランダムアクセスが可能であるとは言い難かった。
【０００５】
本発明は上記事情に鑑みてなされたものであり、任意のタイミングで光信号の高速な書き込み及び読み出しが可能な光記憶素子及び光記憶装置を提供することを目的とする。
【課題を解決するための手段】
【０００６】
上記課題を解決するために、本発明の光記憶素子は、光信号を記憶する光記憶素子（２０）において、前記光信号を電気信号に変換する第１光電変換素子（２１）と、前記光信号の書き込みを制御する第１制御光信号を電気信号に変換する第２光電変換素子（２２）と、前記第１光電変換素子で変換された電気信号と前記第２光電変換素子で変換された電気信号との双方が入力された場合に、所定の状態に遷移して当該状態を維持することで前記光信号を記憶する共鳴トンネルダイオード（２３）と、前記共鳴トンネルダイオードが前記所定の状態である場合にのみ、前記共鳴トンネルダイオードに記憶された前記光信号の読み出しを制御する第２制御光信号を透過する電界吸収型光変調素子（２４）とを含むことを特徴としている。
この発明によると、第１光電変換素子に光信号が照射されるとともに第２光電変換素子に第１制御光信号に照射されると、第１光電変換素子で変換された電気信号と第２光電変換素子で変換された電気信号との双方が共鳴トンネルダイオードに入力され、共鳴トンネルダイオードは所定の状態に遷移してその状態が維持される。これにより、光信号が電気信号として共鳴トンネルダイオードに記憶される。共鳴トンネルダイオードが所定の状態のときに第２制御光信号が電界吸収型光変調素子に照射されると、第２制御光信号は電界吸収型光変調素子を透過し、これにより光信号が読み出される。
ここで、本発明の光記憶素子は、前記共鳴トンネルダイオードが、印加される所定の制御電圧の制御により前記所定の状態から初期状態に遷移することを特徴としている。
この発明によると、制御電圧を制御することにより、所定の状態に遷移した共鳴トンネルダイオードを初期状態に遷移させることができる。
また、本発明の光記憶素子は、前記第１光電変換素子及び前記第２光電変換素子がフォトダイオードであり、前記共鳴トンネルダイオードには前記所定の制御電圧として所定のバイアス電圧が印加されていることが望ましい。
上記課題を解決するために、本発明の第１の観点による光記憶装置は、光信号を記憶する光記憶装置（１０、３０）において、上記の何れかに記載の光記憶素子を複数備える基板（１１）と、前記光信号を前記基板全体に亘って照射する光信号照射装置（１２）と、前記光記憶素子を備える前記基板上で前記第１制御光信号を走査する第１走査装置（１３）と、前記光記憶素子を備える前記基板上で前記第２制御光信号を走査する第２走査装置（１４）とを備えることを特徴としている。
この発明によると、第１走査装置によって第１制御光信号が基板上で走査され、第２走査装置によって第２制御光信号が基板上で走査される。これにより、光信号照射装置によって基板に照射される光信号が順次書き込まれ、順次読み出される。
また、本発明の第１の観点による光記憶装置は、少なくとも前記基板上の前記第２制御光信号が照射される部位に対する前記光信号の照射を遮断する遮光装置（３１）を備えることを特徴としている。
或いは、本発明の第１の観点による光記憶装置は、前記光信号照射装置及び前記第１走査装置は、前記光信号の書き込み時にのみ前記光信号の前記基板上への照射及び前記第１制御光信号の走査をそれぞれ行い、前記第２走査装置は、前記光信号の読み出し時にのみ前記第２制御光信号の走査を行うことを特徴としている。
上記課題を解決するために、本発明の第２の観点による光記憶装置は、光信号を記憶する光記憶装置（４０）において、上記の何れかに記載の光記憶素子を複数備える基板（１１）と、前記光記憶素子を備える前記基板上で前記第１制御光信号を走査する第１走査装置（１３）と、前記光記憶素子を備える前記基板上で前記第２制御光信号を走査する第２走査装置（１４）と、前記基板上における少なくとも前記第１制御光信号が照射される部位を含んで前記第２制御光信号が照射される部位を含まない部位に前記光信号を照射する光信号照射装置（４１）とを備えることを特徴としている。
この発明によると、第１制御光信号が照射される部位を含んで第２制御光信号が照射される部位を含まない部位に光信号が照射される。これにより、光信号照射装置によって基板に照射される光信号が順次書き込まれると同時に順次読み出される。
また、本発明の第１、第２の観点による光記憶装置は、前記第１走査装置及び前記第２走査装置は、前記第１制御光信号と前記第２制御光信号とが同時に同一の前記光記憶素子に照射されないよう前記第１制御光信号及び前記第２制御光信号をそれぞれ走査することを特徴としている。
【発明の効果】
【０００７】
本発明によれば、第１制御光信号及び第２制御光信号の各々を制御することで、任意のタイミングで光信号の高速な書き込み及び読み出しを行うことができるという効果がある。
【発明を実施するための最良の形態】
【０００８】
以下、図面を参照して本発明の実施形態による光記憶素子及び光記憶装置について詳細に説明する。尚、以下の説明においては、必要であれば図中にＸＹＺ直交座標系を設定し、このＸＹＺ直交座標系を参照しつつ各部材の位置関係について説明する。
【０００９】
〔第１実施形態〕
図１は、本発明の第１実施形態による光記憶装置の概略構成を示す斜視図である。図１に示す通り、本実施形態の光記憶装置１０は、記憶素子基板１１、光信号照射装置１２、書込制御光走査装置１３、読取制御光走査装置１４、及び光信号出力装置１５を含んで構成される。記憶素子基板１１は、光信号を記憶する配列された複数の光記憶素子２０（図２参照）を基板上に備える。尚、光記憶素子２０の構成の詳細は後述する。
【００１０】
光信号照射装置１２は、記憶素子基板１１の＋Ｚ方向側に配置され、入射する波長λ１の光信号を記憶素子基板１１の照射面１１ａの全面に照射する。光信号照射装置１２によって記憶素子基板１１に照射される光信号の波長λ１は例えば１．５５μｍである。書込制御光走査装置１３は、光信号照射装置１２と同様に記憶素子基板１１の＋Ｚ方向側に配置され、光信号を記憶素子基板１１に書き込むための書込制御光信号（第１制御光信号）を記憶素子基板１１上で走査する。
【００１１】
ここで、書込制御光走査装置１３は、記憶素子基板１１に照射される光信号に同期して記憶素子基板１１を走査する。つまり、光信号照射装置１２によって１ビット分の光信号が記憶素子基板１１に照射される度に、記憶素子基板１１上の異なる光記憶素子に書込制御光信号が照射されるよう書込制御光信号を走査する。図１に示す例では、書込制御光走査装置１３は、記憶素子基板１１のＸ方向における一端から他端まで書込制御光信号を走査し、その走査をＹ方向に繰り返す走査を行っている。つまり、書込制御光走査装置１３は、主走査方向がＸ方向に設定されており、副走査方向がＹ方向に設定されている。尚、書込制御光信号の波長λ２は例えば１．３μｍである。
【００１２】
読取制御光走査装置１４は、光信号照射装置１２と同様に、記憶素子基板１１の＋Ｚ方向側に配置され、記憶素子基板１１に書き込まれた光信号を読み取るための読取制御光信号（第２制御光信号）を記憶素子基板１１上で走査する。ここで、読取制御光走査装置１４は、上記の書込制御光走査装置１３と同様に、記憶素子基板１１に照射される光信号に同期して記憶素子基板１１を走査しても良く、光信号に同期せずに（非同期で）記憶素子基板１１を走査しても良い。但し、本実施形態では、書込制御光走査装置１３による書込制御光信号の走査が行われている最中は読取制御光走査装置１４による読取制御光信号の走査は行われず、読取制御光走査装置１４による読取制御光信号の走査が行われている最中は書込制御光走査装置１３による書込制御光信号の走査及び光信号照射装置１２による光信号の照射が行われない。
【００１３】
図１に示す例では、読取制御光走査装置１４の主走査方向及び副走査方向は、書込制御光走査装置１３の主走査方向及び副走査方向とそれぞれ同じ方向に設定されている。読取制御光信号の波長λ３は記憶素子基板１１に照射される光信号と同様の１．５５μｍである。尚、ここでは読取制御光信号の波長と光信号の波長が等しい場合を例に挙げて説明するが、これらの信号の波長は異なっていても良い。また、図１に示す例では、光信号照射装置１２の＋Ｘ方向側に書込制御光走査装置１３が配置され、−Ｘ方向側に読取制御光走査装置１４が配置されているが、記憶素子基板１１の＋Ｚ方向側であればこれらの配置は図１に示す例には制限されない。光信号出力装置１５は、記憶素子基板１１の＋Ｚ方向側に配置され、記憶素子基板１１で反射された読取制御信号を例えば光ファイバ（図示省略）に出力する。
【００１４】
次に、記憶素子基板１１に形成される光記憶素子について詳細に説明する。図２は記憶素子基板１１に形成されている光記憶素子の上面透視図であり、図３は記憶素子基板１１に形成されている光記憶素子の電気的な等価回路である。１つの光記憶素子２０の大きさは数十μｍ角〜数百μｍ角程度であり、この構成の光記憶素子２０が記憶素子基板１１上にＸ方向及びＹ方向に配列されている。図２，３に示す通り、記憶素子基板１１に形成される１つの光記憶素子２０は、フォトダイオード２１，２２、共鳴トンネルダイオード２３、及び電界吸収型光変調素子２４、並びに抵抗２５を含んで構成される。
【００１５】
フォトダイオード２１は、光信号照射装置１２によって照射される光信号（波長λ１）を受光して電気信号に変換する。フォトダイオード２２は、書込制御光走査装置１３によって走査される書込制御光信号（波長λ２）を受光して電気信号に変換する。これらフォトダイオード２１，２２は、図３に示す通り並列に接続されており、各々のカソード電極にはバイアス電圧Ｖ１が印加され、各々のアノード電極は接続点Ｃ１に接続されている。尚、接続点Ｃ１には、一方の電極にバイアス電圧Ｖ２が印加される抵抗２５の他方の電極が接続されている。
【００１６】
共鳴トンネルダイオード２３は、量子井戸構造を有しており、この量子井戸により電子の共鳴トンネリング現象を起こさせる負性抵抗スイッチ素子である。この共鳴トンネルダイオード２３の一方の電極は接続点Ｃ１に接続されており、他方の電極にはバイアス電圧−Ｖ３が印加される。共鳴トンネルダイオード２３は、量子力学的共鳴効果を有することから、１００Ｇｂｐｓ以上での高速電気信号に対するスイッチング動作が可能である。
【００１７】
電界吸収型光変調素子２４は、共鳴トンネルダイオード２３のスイッチ動作により透過率が変化する素子であり、図３に示す通り、カソード電極が接続点Ｃ１に接続され、アノード電極にはバイアス電圧Ｖ４が印加される。この電界吸収型光変調器２４には、読取制御光走査装置１４によって走査される読取制御光信号（波長λ３）が照射され、共鳴トンネルダイオード２３が所定の状態に遷移している場合にのみ照射される読取制御信号を透過する。
【００１８】
ここで、図２に示す通り、電界吸収型光変調器２４の両端には電界吸収型光変調器２４を挟むように一対の反射ミラー２５が形成されている。この反射ミラー２５は、その鏡面がＸＹ平面に対してほぼ４５°の角度をなし、且つ互いの鏡面がほぼ９０°の角度をなすよう形成されている。この反射ミラー２５の何れか一方に読取制御光走査装置１４からの読取制御光信号（波長λ３）が照射される。他方の反射ミラー２５は、電界吸収型光変調器２４を透過した電界吸収型光変調器２４を光信号出力装置１５に向けて反射する。
【００１９】
図２に示す通り、フォトダイオード２１，２２、共鳴トンネルダイオード２３、及び電界吸収型光変調素子２４は記憶素子基板１１上に形成されており、フォトダイオード２１，２２の受光面は、記憶素子基板１１の照射面１１ａ側に形成されている。次に、フォトダイオード２１，２２、共鳴トンネルダイオード２３、及び電界吸収型光変調素子２４の構成について説明する。図４は、図２中のＡ−Ａ線に沿う断面の模式図である。
【００２０】
図４に示す構成は、図５に示す化合物半導体の多層構造が形成された基板に対してエッチング処理等の処理を施すことにより形成される。図５は、化合物半導体の多層構造を示す図である。尚、図４，図５においては、理解を容易にするために、各層の厚みを誇張して図示している。図５に示す多層構造は、ＩｎＰ基板１００上に、Ｐ＋−ＩｎＰ層１０１、（ｕ）−ＩｎＧａＰ層１０２、ｎ＋−ＩｎＰ層１０３、ｎ＋−ＩｎＧａＡｓ層１０４、ｎ−−ＩｎＧａＡｓ層１０５、ＡｌＡｓ（ＩｎＡｌＡｓ）層１０６、（ｉ）−ＩｎＧａＡｓ層１０７、ＡｌＡｓ（ＩｎＡｌＡｓ）層１０８、ｎ−−ＩｎＧａＡｓ層１０９、ｎ＋−ＩｎＧａＡｓ層１１０、ｎ−−ＩｎＧａＡｓ層１１１、（ｎ−）−ＩｎＰ層１１２を順に積層した構造である。そして、Ｚｎ拡散領域１１３が、ｎ−−ＩｎＧａＡｓ層１１１及び（ｎ−）−ＩｎＰ層１１２の一部に形成されている。
【００２１】
以上の化合物半導体の多層構造に対してエッチングを行い、図４に示す通り、電極１１４、絶縁膜１１５、配線１１６を形成する。この結果、ｎ＋−ＩｎＧａＡｓ層１１０〜Ｚｎ拡散領域１１３でフォトダイオード２２を形成し、ｎ＋−ＩｎＧａＡｓ層１０４〜ｎ＋−ＩｎＧａＡｓ層１１０で共鳴トンネルダイオード２３を形成し、ｐ＋−ＩｎＰ層１０１〜ｎ＋−ＩｎＧａＡｓ層１０４で電界吸収型光変調素子２４を形成する。尚、図４においてはフォトダイオード２１の図示を省略しているが、フォトダイオード２１はフォトダイオード２２とほぼ同様の構成である。このように、フォトダイオード２１，２２、共鳴トンネルダイオード２３、及び電界吸収型光変調器２４は、同一基板（ＩｎＰ基板１００）上に形成される。
【００２２】
次に、光記憶素子２０の動作について説明する。図６は、共鳴トンネルダイオード２３の電圧−電流特性を示す図である。図６では、横軸に共鳴トンネルダイオード２３の電極間に印加される電圧Ｖとっており、縦軸に共鳴トンネルダイオード２３に流れる電流Ｉをとっている。
【００２３】
いま、図３中に示す抵抗２５の抵抗値をＲとし、フォトダイオード２１に対する光信号（波長λ１）の照射、フォトダイオード２２に対する書込制御光信号（波長λ２）の照射、及び電界吸収型光変調素子２４に対する読取制御光信号（波長λ３）の照射が何れも無い状態であるとする。この状態では、共鳴トンネルダイオード２３の電流・電圧は、図６中の負荷直線Ｌ１と共鳴トンネルダイオード２３の電圧−電流特性を示す曲線との交点Ａで与えられる。尚、負荷直線Ｌ１は、抵抗２５の抵抗値Ｒと図３中に示すバイアス電圧Ｖ２，Ｖ３によって決定される。
【００２４】
ここで、フォトダイオード２１に対する光信号（波長λ１）及びフォトダイオード２２に対する書込制御光信号（波長λ２）の両方の照射を行うと、共鳴トンネルダイオード２３に流れ込む電流量が増加する。これにより、図６中の負荷直線Ｌ１から負荷直線Ｌ２に動き、共鳴トンネルダイオード２３の電流・電圧は、負荷直線Ｌ２と共鳴トンネルダイオード２３の電圧−電流特性を示す曲線との交点Ｂで与えられる。
【００２５】
この状態から、フォトダイオード２１に対する光信号（波長λ１）の照射及びフォトダイオード２２に対する書込制御光信号（波長λ２）の照射を停止すると、共鳴トンネルダイオード２３は図６中の交点Ｂから元の交点Ａに遷移せずに交点Ｃに遷移する。この状態に遷移している共鳴トンネルダイオード２３を初期状態に戻すには、制御電圧としてのバイアス電圧Ｖ２，Ｖ３を所定の電圧値（例えば、０［Ｖ］）にする。
【００２６】
図１に示す通り、本実施形態では光信号照射装置１２により波長λ１の光信号を記憶素子基板１１の照射面１１ａの全面に照射している。このため、照射面１１ａに照射される光信号が「１」であり、且つ、書込制御光走査装置１３からの書込制御光信号（波長λ２）が照射されたときにのみ、その書込制御光信号が照射された共鳴トンネルダイオード２３の状態が図６中の交点Ａから交点Ｂに遷移するようにバイアス電圧Ｖ２，Ｖ３の電圧値及び抵抗２５の抵抗値Ｒが設定されている。つまり、書込制御光信号が照射されても照射される光信号が「０」である場合、又は照射される光信号が「１」であっても書込制御光信号が照射されない場合は、共鳴トンネルダイオード２３の状態は、図６中の交点Ａから交点Ｂに遷移しないようバイアス電圧Ｖ２，Ｖ３及び抵抗２５の抵抗値Ｒが設定されている。
【００２７】
かかる設定を行うことで、複数設けられた光記憶素子２０のうちの１つの光記憶素子２０に１ビットの光信号を電気信号に変換して記憶させることができる。また、前述した通り、書込制御光走査装置１３は、記憶素子基板１１に照射される光信号に同期して記憶素子基板１１を走査しているため、入力される光信号の各ビットを走査している光記憶素子２０に順次記憶させることができる。
【００２８】
また、図３に示す電界吸収型光変調素子２４に印加されるバイアス電圧Ｖ４は、共鳴トンネルダイオード２３が図６に示す交点Ｃの状態にあるときに電界吸収型光変調素子２４が波長λ３の読取制御光信号を透過し、図６に示す交点Ａの状態にあるときに電界吸収型光変調素子２４が波長λ３の読取制御光信号を透過しないよう設定される。
【００２９】
かかる設定を行うことで、１ビットの光信号を電気信号として記憶している光記憶素子２０に設けられた電界吸収型光変調素子２４に読取制御光信号が反射ミラー２５を介して入射された場合には、入射された読取制御光信号は電界吸収型光変調素子２４を透過し、１ビットの光信号を電気信号として記憶していない光記憶素子２０に設けられた電界吸収型光変調素子２４に読取制御光信号が反射ミラー２５を介して入射された場合には、入射された読取制御光信号は電界吸収型光変調素子２４を透過しない。
【００３０】
電界吸収型光変調素子２４を透過した読取制御光信号は、反射ミラー２５で反射されて光信号出力装置１５から出力される。これにより、光記憶素子２０に電気信号として記憶されている１ビットの光信号を読み取ることができる。また、前述した通り、読取制御光走査装置１４は、記憶素子基板１１を走査しているため、光記憶素子２０に電気信号として記憶されている光信号を順次読み取ることができる。尚、前述した通り、書込制御光走査装置１３による書込制御光信号の走査と読取制御光走査装置１４による読取制御光信号の走査とは同時に行われないため、光信号の書き込み期間と光信号の読み出し期間とが設けられる。
【００３１】
〔第２実施形態〕
図７は、本発明の第２実施形態による光記憶装置の概略構成を示す斜視図である。尚、図７においては、図１に示す本発明の第１実施形態による光記憶装置１０が備える構成と同一の構成には同一の符号を付してある。図７に示す光記憶装置３０と図１に示す光記憶装置１０との相違点は、図７に示す光記憶装置３０が遮光部材３１を備えており、書込制御光走査装置１３による書込制御光信号の走査と読取制御光走査装置１４による読取制御光信号の走査とが同時に行われる点である。但し、読取制御光走査装置１４は、書込制御光走査装置１３からの書込制御光信号が照射されている光記憶素子２０に対して同時に読取制御光信号が照射されないように読取制御光信号を走査する。
【００３２】
遮光部材３１は、光信号照射装置１２と記憶素子基板１１との間においてＸＹ面に平行な面内で移動可能に構成されており、光信号照射装置１２によって照射される光信号の一部を遮光するために設けられる。つまり、本実施形態においても光信号照射装置１２によって光信号が記憶素子基板１１の照射面１１ａの全面に照射されるが、信号光の波長λ１と読取制御光信号の波長λ３が同一であり、これらが同時に記憶素子基板１１に照射される場合には、読取制御光信号による読み取り制御ができなくなる。このため、少なくとも読取制御光信号が照射される光記憶素子２０に対する光信号の照射を遮光部材３１により遮光して、光信号の書き込み及び読み取りの同時実行を可能としている。
【００３３】
遮光部材３１による光信号の遮光領域は、上述の通り、少なくとも読取制御光信号が照射される光記憶素子２０が含まれる領域であるが、書込制御光信号が照射される光記憶素子２０への光信号の照射は確保する必要がある。このため、遮光部材３１による光信号の遮光領域は、少なくとも書込制御光信号が照射される光記憶素子２０を除き、読取制御光信号が照射される光記憶素子２０が含まれる領域であれば、任意の領域に設定することができる。この遮光部材３１が読取制御光走査装置１４による読取制御光信号の走査と同期して移動することにより、光信号の書き込みと読み出しとを同時に行うことができる。
【００３４】
〔第３実施形態〕
図８は、本発明の第３実施形態による光記憶装置の概略構成を示す斜視図である。尚、図８においては、図１に示す本発明の第１実施形態による光記憶装置１０が備える構成と同一の構成には同一の符号を付してある。図８に示す光記憶装置４０と図１に示す光記憶装置１０との相違点は、図１に示す光信号照射装置１２に代えて光信号照射装置４１を備えた点、及び書込制御光走査装置１３による書込制御光信号の走査と読取制御光走査装置１４による読取制御光信号の走査とが同時に行われる点である。但し、読取制御光走査装置１４は、書込制御光走査装置１３からの書込制御光信号が照射されている光記憶素子２０に対して同時に読取制御光信号が照射されないように読取制御光信号を走査する。
【００３５】
光信号照射装置４１は、記憶素子基板１１上の一部にのみ光信号を走査しつつ照射する点において、記憶素子基板１１の全面に光信号を照射する光信号照射装置１２と相違する。具体的に、光信号照射装置４１は、少なくとも書込制御光走査装置１３からの書込制御光信号が照射されている光記憶素子が含まれる領域に光信号を照射する。但し、光信号照射装置４１による光信号の照射領域は、読取制御光走査装置１４による読取制御光信号が照射される光記憶素子２０が含まれないように設定される。
【００３６】
光信号照射装置４１が記憶素子基板１１上における上記の領域にのみ光信号を走査しつつ照射することにより、書き込みが行われる光記憶素子には光信号照射装置４１からの光信号と書込制御光走査装置１３からの書込制御光信号とが照射される一方、読み取りが行われる光記憶素子には読取制御光走査装置１４からの読取制御光信号のみが照射される。これにより、光信号の書き込みと読み出しとを同時に行うことができる。
【００３７】
以上説明した第１実施形態による光記憶装置１０は、書き込み及び読み取りを同時に行うことができなかったが、第２実施形態による光記憶装置３０及び第３実施形態による光記憶装置４０は、書き込み及び読み取りを同時に行うことができる。また、その書き込み及び読み出しは任意のタイミングで行うことができる。このため、光記憶装置３０，４０は、例えば光パケット通信におけるデータ衝突を回避するデータ衝突回避装置として用いることができる。
【００３８】
図９は、本発明の実施形態による光記憶装置３０，４０をデータ衝突回避装置として用いた例を示す図である。図９に示す例では、光信号を伝播する２つの光ファイバＦ１，Ｆ２が設けられており、これらが合波部５０で接続されている。かかる伝播路において、光ファイバＦ１，Ｆ２の各々を伝播してきた光信号は合波部５０で合波されることになるが、光ファイバＦ１，Ｆ２の各々を伝播する光信号の間に時間的なずれがあると合波部５０においてデータ衝突を起こしてしまう。
【００３９】
このため、光ファイバＦ１，Ｆ２の何れか一方（図９に示す例では光ファイバＦ２）に光記憶装置３０（又は光記憶装置４０）を設け、光ファイバＦ１中を伝播する光信号と光ファイバＦ２中を伝播する光信号との時間的なずれを補正して光パケットのデータ衝突を回避する。光記憶装置３０，４０は、読取制御光走査装置１４からの読取制御光信号の走査を任意のタイミングで制御することができるため、光記憶装置３０，４０に記憶された光信号を任意のタイミングで読み取ることができる。このため、光ファイバＦ１中を伝播する光信号と光ファイバＦ２中を伝播する光信号との時間的なずれを補正することができる。また、本実施形態の光記憶装置３０，４０は、従来の光遅延回路を用いた光記憶装置と異なり記憶した光信号を任意のタイミングで読み取ることができるため、光パケットの密度が高くなっても対応することができる。
【００４０】
以上、本発明の実施形態による光記憶素子及び光記憶装置について説明したが、本発明は上記実施形態に制限される訳ではなく、本発明の範囲内で自由に変更が可能である。例えば、上記実施形態ではフォトダイオード２１，２２を並列に接続した構成を例に挙げて説明したが、これらは直列に接続されていても良い。
【図面の簡単な説明】
【００４１】
【図１】本発明の第１実施形態による光記憶装置の概略構成を示す斜視図である。
【図２】記憶素子基板１１に形成されている光記憶素子の上面透視図である。
【図３】記憶素子基板１１に形成されている光記憶素子の電気的な等価回路である。
【図４】図２中のＡ−Ａ線に沿う断面の模式図である。
【図５】化合物半導体の多層構造を示す図である。
【図６】共鳴トンネルダイオード２３の電圧−電流特性を示す図である。
【図７】本発明の第２実施形態による光記憶装置の概略構成を示す斜視図である。
【図８】本発明の第３実施形態による光記憶装置の概略構成を示す斜視図である。
【図９】本発明の実施形態による光記憶装置３０，４０をデータ衝突回避装置として用いた例を示す図である。
【符号の説明】
【００４２】
１０    光記憶装置
１１    記憶素子基板（基板）
１２    光信号照射装置
１３    書込制御光走査装置（第１走査装置）
１４    読取制御光走査装置（第２走査装置）
２０    光記憶素子
２１    フォトダイオード（第１光電変換素子）
２２    フォトダイオード（第２光電変換素子）
２３    共鳴トンネルダイオード
２４    電界吸収型光変調素子
３０    光記憶装置
３１    遮光部材（遮光装置）
４０    光記憶装置
４１    光信号照射装置
【図１】
0004434102.tif 000002
【図２】
0004434102.tif 000003
【図３】
0004434102.tif 000004
【図４】
0004434102.tif 000005
【図５】
0004434102.tif 000006
【図６】
0004434102.tif 000007
【図７】
0004434102.tif 000008
【図８】
0004434102.tif 000009
【図９】
0004434102.tif 000010